(57)【特許請求の範囲】
【請求項１】
２つの異なる周波数帯域に共用可能なアンテナと、前記周波数帯域のうち、一方の周波数帯域の第１受信信号を受信する第１受信回路と、他方の周波数帯域の第２受信信号を受信する第２受信回路と、を備え、前記アンテナからの信号経路を前記第１受信回路又は前記第２受信回路の何れかに切り換え制御する受信回路であって、
一端を前記アンテナの出力側に、他端を前記第１受信回路の入力側に接続され、前記第１受信信号に対し順方向に接続される第１ダイオードと、
一端を前記アンテナの出力側に、他端を前記スイッチ手段側に接続され、前記第１受信信号及び前記第２受信信号に対し逆方向に接続される第２ダイオードと、
直流電源に接続され、前記第１受信信号を受信する場合は、前記第１ダイオードと前記第２ダイオードを順方向にバイアスし、前記第２受信信号を受信する場合は、前記第１ダイオードと前記第２ダイオードを逆方向にバイアスするよう前記直流電源の接続方向を切り換え制御するスイッチ手段と、
前記第１ダイオード及び前記第２ダイオードにそれぞれ並列接続され、前記第２受信信号を受信する場合における前記スイッチ手段による前記接続方向の切り換え動作により、ほぼ等しい逆バイアス電圧を当該各ダイオードに印加する逆バイアス電圧印加手段と、
を備えることを特徴とする受信回路。
【請求項２】
２つの異なる周波数帯域に共用可能な少なくとも１つのアンテナを含む複数のアンテナと、前記周波数帯域のうち、一方の周波数帯域の第１受信信号を受信する第１受信回路と、他方の周波数帯域の第２受信信号を受信する第２受信回路と、を備え、前記共用可能なアンテナからの信号経路を前記第１受信回路又は前記第２受信回路の何れかに切り換え制御すると共に、前記複数のアンテナのうち、選択された１つのアンテナからの信号経路を前記第１受信回路に切り換え制御する受信回路であって、
一端を前記複数のアンテナの出力側のそれぞれに、他端を前記第１受信回路の入力側に接続され、前記第１受信信号に対し順方向に接続される複数の第１ダイオードと、
一端を前記複数のアンテナの出力側のそれぞれに、他端を前記スイッチ手段側に接続され、前記第１受信信号及び前記第２受信信号に対し逆方向に接続される複数の第２ダイオードと、
直流電源に接続され、前記選択された１つのアンテナからから第１受信信号を受信する場合は、当該１つのアンテナの出力側に接続された前記第１ダイオードと前記第２ダイオードを順方向にバイアスし、前記共用可能なアンテナから第２受信信号を受信する場合は、少なくとも当該共用可能なアンテナの出力側に接続された前記第１ダイオードと前記第２ダイオードを逆方向にバイアスするよう前記直流電源の接続方向を切り換え制御するスイッチ手段と、
前記複数の第１ダイオード及び複数の第２ダイオードにそれぞれ並列接続され、前記共用可能なアンテナから前記第２受信信号を受信する場合における前記スイッチ手段による前記接続方向の切り換え動作により、ほぼ等しい逆バイアス電圧を当該各ダイオードに印加する逆バイアス電圧印加手段と、
を備えることを特徴とする受信回路。
【請求項３】
前記逆バイアス電圧印加手段は、各ダイオードに並列接続された抵抗により構成され、当該各抵抗は、当該各ダイオードが逆方向にバイアスされているときのリーク電流より十分に大きな電流が流れる範囲内で十分大きな抵抗値を有することを特徴とする請求項１又は請求項２に記載の受信回路。
【請求項４】
前記２つの異なる周波数帯域のうち、一方はＦＭ送信帯域であり、他方はＡＭ送信帯域であることを特徴とする請求項１から請求項３の何れかに記載の受信回路。
【発明の詳細な説明】
【０００１】
【発明の属する技術分野】
本発明は、アンテナから入力された受信信号の経路を切り換えて受信する受信回路の技術分野に属する。
【０００２】
【従来の技術】
従来から、ＡＭやＦＭなど異なる周波数帯の放送波を１つのアンテナで共用して、それぞれの受信回路を切り換えて動作させたり、ダイバーシティ受信装置のように複数のアンテナ入力を切り換えて１つの受信回路を動作させる場合など、入力される受信信号の信号経路を切り換え可能に構成した受信回路がある。
【０００３】
このような受信回路は、例えば図３のように構成される。図３に示す受信回路は、ＡＭとＦＭを共用して受信可能なアンテナ１から入力される受信信号を、ＡＭ回路とＦＭ回路とに切り換えるものであり、ダイオードＤ１、Ｄ２と、コイルＬ１、Ｌ２、Ｌ３と、抵抗Ｒ０と、制御端子Ａ、Ｂとを含む受信回路によって切り換え制御し、ＡＭ回路とＦＭ回路の何れかに受信信号を出力するものである。
【０００４】
図３において、ＡＭ回路を選択する場合は、制御端子Ａを０Ｖとし、制御端子Ｂに正の電圧を加える。このとき、ダイオードＤ１、Ｄ２は、どちらも逆バイアスされ非導通状態となる。従って、ＡＭ受信信号はＦＭ回路の側には通過せず、ＡＭ回路の側にのみ出力される。なお、コイルＬ１、Ｌ２は制御端子Ａ、Ｂを交流的に受信回路から切り離すように選ぶ。
【０００５】
一方、ＦＭ回路を選択する場合は、制御端子Ａに正の電圧を加え、制御端子Ｂを０Ｖとする。このとき、ダイオードＤ１、Ｄ２は、どちらも順バイアスされ導通状態となる。そして、ＡＭ回路の入力側に直列接続されたＬ３は、ＡＭ受信信号には低インピーダンス、ＦＭ受信信号には高インピーダンスとなるように値を定める。従って、ＦＭ受信信号はＡＭ回路の側には通過せず、ＦＭ回路の側にのみ出力される。また、Ｒ０は、順バイアス時の電流を一定値に制限するよう値を定める。
【０００６】
このように、１つのアンテナを共用してＡＭ回路とＦＭ回路を切り換え可能な受信回路を、簡易な制御により動作させることができる。
【０００７】
【発明が解決しようとする課題】
上記従来の受信回路では、ＡＭ回路が選択制御されている場合には、ダイオードＤ１、Ｄ２の特性が理想的であれば、両者は直列接続された状態で、均等に逆バイアスされ、ＡＭ回路の入力側であるダイオードＤ１、Ｄ２の中間点には、一定の直流電圧が加わる。ところが、実際にはダイオードＤ１、Ｄ２の特性にばらつきがあるので、リーク電流がそれぞれ異なっている。そのため、直列接続されたときに、逆バイアス電圧に変動をもたらし、ＡＭ回路の入力側には一定電圧が加わらなくなって、結果的に歪みを発生させる要因となる。また、多数のＦＭ送信波による相互変調妨害を受けやすくなる。
【０００８】
このように、上記従来の受信回路では、リーク電流等のダイオード特性のばらつきに起因して、受信信号に歪みを発生しやすく、切り換え制御を行った場合に双方の切り換え側で良好な受信特性を保つことが困難であるという問題がある。
【０００９】
そこで、本発明は、このような問題点に鑑みなされたものであり、その課題は、切り換え制御を行いつつ、ダイオード特性のばらつきに起因する受信信号に対する歪みや妨害を防止することができる受信回路を提供することにある。
【００１０】
【課題を解決するための手段】
上記課題を解決するため、請求項１に記載の受信回路は、２つの異なる周波数帯域に共用可能なアンテナと、前記周波数帯域のうち、一方の周波数帯域の第１受信信号を受信する第１受信回路と、他方の周波数帯域の第２受信信号を受信する第２受信回路と、を備え、前記アンテナからの信号経路を前記第１受信回路又は前記第２受信回路の何れかに切り換え制御する受信回路であって、一端を前記アンテナの出力側に、他端を前記第１受信回路の入力側に接続され、前記第１受信信号に対し順方向に接続される第１ダイオードと、一端を前記アンテナの出力側に、他端を前記スイッチ手段側に接続され、前記第１受信信号及び前記第２受信信号に対し逆方向に接続される第２ダイオードと、直流電源に接続され、前記第１受信信号を受信する場合は、前記第１ダイオードと前記第２ダイオードを順方向にバイアスし、前記第２受信信号を受信する場合は、前記第１ダイオードと前記第２ダイオードを逆方向にバイアスするよう前記直流電源の接続方向を切り換え制御するスイッチ手段と、前記第１ダイオード及び前記第２ダイオードにそれぞれ並列接続され、前記第２受信信号を受信する場合における前記スイッチ手段による前記接続方向の切り換え動作により、ほぼ等しい逆バイアス電圧を当該各ダイオードに印加する逆バイアス電圧印加手段と、を備えることを特徴とする。
【００１１】
請求項１に記載の発明によれば、アンテナから、例えばＦＭ送信波などの共用可能な一方の周波数帯域に対応する第１受信信号が入力されると、スイッチ手段により、アンテナの出力側と第１受信回路に直列接続された第１ダイオードと、アンテナの出力側とスイッチ手段の間に接続された第２ダイオードとが、直流電源の接続を切り換えて順方向にバイアスされる。このとき、第１受信信号は、アンテナから第１受信回路に導かれる。
【００１２】
一方、アンテナから、例えばＡＭ送信波などの共用可能な他方の周波数帯域に対応する第２受信信号が入力されると、スイッチ手段により、前記第１ダイオードと、前記第２ダイオードとが、直流電源の接続を切り換えて逆方向にバイアスされる。このスイッチ手段による切り換え動作と、各ダイオードに並列接続される逆バイアス印加手段と、により、ほぼ等しい逆バイアス電圧が各ダイオードに印加される。よって、リーク電流等ダイオード特性のばらつきに伴う電圧レベルの変動が防止され、信号に生じる歪みが抑えられる。また、例えばＦＭ送信波の相互変調による妨害を減少させる。
【００１３】
上記課題を解決するため、請求項２に記載の受信回路は、２つの異なる周波数帯域に共用可能な少なくとも１つのアンテナを含む複数のアンテナと、前記周波数帯域のうち、一方の周波数帯域の第１受信信号を受信する第１受信回路と、他方の周波数帯域の第２受信信号を受信する第２受信回路と、を備え、前記共用可能なアンテナからの信号経路を前記第１受信回路又は前記第２受信回路の何れかに切り換え制御すると共に、前記複数のアンテナのうち、選択された１つのアンテナからの信号経路を前記第１受信回路に切り換え制御する受信回路であって、一端を前記複数のアンテナの出力側のそれぞれに、他端を前記第１受信回路の入力側に接続され、前記第１受信信号に対し順方向に接続される複数の第１ダイオードと、一端を前記複数のアンテナの出力側のそれぞれに、他端を前記スイッチ手段側に接続され、前記第１受信信号及び前記第２受信信号に対し逆方向に接続される複数の第２ダイオードと、直流電源に接続され、前記選択された１つのアンテナからから第１受信信号を受信する場合は、当該１つのアンテナの出力側に接続された前記第１ダイオードと前記第２ダイオードを順方向にバイアスし、前記共用可能なアンテナから第２受信信号を受信する場合は、少なくとも当該共用可能なアンテナの出力側に接続された前記第１ダイオードと前記第２ダイオードを逆方向にバイアスするよう前記直流電源の接続方向を切り換え制御するスイッチ手段と、前記複数の第１ダイオード及び複数の第２ダイオードにそれぞれ並列接続され、前記共用可能なアンテナから前記第２受信信号を受信する場合における前記スイッチ手段による前記接続方向の切り換え動作により、ほぼ等しい逆バイアス電圧を当該各ダイオードに印加する逆バイアス電圧印加手段と、を備えることを特徴とする。
【００１４】
請求項２に記載の発明によれば、アンテナから、例えばＦＭ送信波などの共用可能な一方の周波数帯域に対応する第１受信信号が入力されると、スイッチ手段により、１つのアンテナが選択されて信号経路が切り換えられると共に、選択された１つのアンテナの出力側と第１受信回路に直列接続された第１ダイオードと、選択された１つのアンテナの出力側とスイッチ手段の間に接続された第２ダイオードとが、直流電源の接続を切り換えて順方向にバイアスされる。このとき、第１受信信号は、選択された１つのアンテナから第１受信回路に導かれる。
【００１５】
一方、アンテナから、例えばＡＭ送信波などの共用可能な他方の周波数帯域に対応する第２受信信号が入力されると、スイッチ手段により、少なくとも共用可能なアンテナの出力側に接続された前記第１ダイオードと前記第２ダイオードとが、直流電源の接続を切り換えて逆方向にバイアスされる。このスイッチ手段による切り換え動作と、各ダイオードに並列接続される逆バイアス印加手段と、により、ほぼ等しい逆バイアス電圧が各ダイオードに印加される。よって、リーク電流等ダイオード特性のばらつきに伴う電圧レベルの変動が防止され、信号に生じる歪みが抑えられる。また、ＦＭのダイバーシティ受信等を良好に行いつつ相互の妨害を減少させる。
【００１６】
上記課題を解決するため、請求項３に記載の受信回路は、請求項１又は請求項２に記載の受信回路において、前記逆バイアス電圧印加手段は、各ダイオードに並列接続された抵抗により構成され、当該各抵抗は、当該各ダイオードが逆方向にバイアスされているときのリーク電流より十分に大きな電流が流れる範囲内で十分大きな抵抗値を有することを特徴とする。
【００１７】
請求項３に記載の発明によれば、適切な抵抗値を有する抵抗に分圧されて各ダイオードの逆方向バイアス電圧が印加される。よって、リーク電流等ダイオード特性がばらつく場合でも、より安定度の高い抵抗値によって変動が防止され、良好な受信性能が確保される。
【００１８】
上記課題を解決するため、請求項４に記載の受信回路は、請求項１から請求項３の何れかに記載の受信回路において、前記２つの異なる周波数帯域のうち、一方はＦＭ送信帯域であり、他方はＡＭ送信帯域であることを特徴とする。
【００１９】
請求項４に記載の発明によれば、ＦＭ送信帯域とＡＭ送信帯域を共用可能なアンテナを用いた受信回路において、ダイオードを用いて切り換え制御する際に逆方向バイアス電圧の安定が図れる。よって、低歪みで妨害に強いＦＭ／ＡＭ共用受信装置が提供される。
【００２０】
【発明の実施の形態】
以下、本発明の好適な実施形態について、図面に基づいて説明する。
【００２１】
図１は、本発明の第１の実施形態を示す回路図である。図１に示す第１の実施形態は、車載用チューナ等に利用される受信回路であって、ＡＭとＦＭの共用アンテナを用い、ＡＭ回路とＦＭ回路を切り換え制御する受信回路に対して本発明を適用したものである。なお、図１では、図３に示す従来の受信回路の構成要素と同一構成要素には、同一符合を付して説明する。
【００２２】
図１に示す受信回路は、アンテナ１と、ダイオードＤ１、Ｄ２と、コイルＬ１、Ｌ２、Ｌ３と、抵抗Ｒ０、Ｒ１、Ｒ２と、スイッチ部２と、電源３と、ＦＭアンテナ同調回路４とを備えている。
【００２３】
図１において、アンテナ１はＡＭ送信帯域とＦＭ送信帯域をどちらも受信可能であり共用して用いられる。アンテナ１から出力される受信信号は、途中で分岐してＡＭ回路とＦＭ回路の双方に接続されるよう構成されている。
【００２４】
スイッチ部２では、ＡＭ回路とＦＭ回路の切り換え制御が行われる。ＦＭ回路を選択する場合は、スイッチ部２をｂ側に切り換え制御する。一方、ＡＭ回路を選択する場合は、スイッチ部２をａ側に切り換え制御する。スイッチ部２は、所定の電圧を印加する電源３とアースに接続され、ＡＭ回路とＦＭ回路を切り換えると、電源３とアースの接続が逆になる関係にある。
【００２５】
一方、ダイオードＤ１、Ｄ２にはそれぞれ並列に抵抗Ｒ１、Ｒ２が接続されている。この抵抗Ｒ１、Ｒ２の抵抗値は、ダイオードＤ１、Ｄ２が順バイアスされているときに、抵抗Ｒ１、Ｒ２にはあまり電流が流れない程度に十分大きな値に設定する。その一方、ダイオードＤ１、Ｄ２が逆バイアスされているときに、ダイオードＤ１、Ｄ２のリーク電流に比べ、大きな電流を抵抗Ｒ１、Ｒ２に流せる範囲内の抵抗値に設定する。
【００２６】
ＦＭ回路が選択されると、ダイオードＤ１、Ｄ２は、スイッチ部２を介して電源３により順バイアスされ、共に導通状態となる。このとき、ダイオードＤ１と抵抗Ｒ１、ダイオードＤ２と抵抗Ｒ２の並列部分において、電源３から供給される電流は、主にダイオードＤ１、Ｄ２の側を流れる。そして、抵抗Ｒ０の抵抗値により、電源３から供給される電流が一定値に制限される。
【００２７】
ＡＭ回路が選択されると、ダイオードＤ１、Ｄ２は、スイッチ部２を介して電源３により逆バイアスされ、共に非導通状態となる。このとき、ダイオードＤ１、Ｄ２の逆バイアス時の抵抗は非常に大きいので、電源３から供給される電流は、主に並列に接続された抵抗Ｒ１、Ｒ２を流れる。よって、電源３の電圧値が、抵抗Ｒ０、Ｒ１、Ｒ２の３つの抵抗で分圧されて各点の直流電圧値が定まる。
【００２８】
一方、コイルＬ１、Ｌ２は、ＦＭ受信信号に対して高インピーダンスとなるように値を定める。これにより、スイッチ部２や電源３が各受信信号の負荷とならないよう高周波的に切り離される。
【００２９】
以上の構成において、ＦＭ回路選択時にアンテナ１から入力されたＦＭ受信信号は、順バイアスされたダイオードＤ１を経由してＦＭ回路側に通過する。ここで、ＡＭ回路側に直列に接続されたコイルＬ３は、ＡＭ受信信号には低インピーダンス、ＦＭ受信信号に対しては高インピーダンスとなるよう値が定められる。よって、ＦＭ受信信号は、コイルＬ３によってＡＭ回路から遮断される。
【００３０】
このとき、スイッチ部２を介して電源３から供給される電流は、コイルＬ１、ダイオードＤ２、ダイオードＤ１、コイルＬ２、抵抗Ｒ０という経路で流れるので、電源３の電圧からダイオードＤ１、Ｄ２の順方向電圧分を引いた値を抵抗Ｒ０で割った値がほぼ電流値となる。
【００３１】
一方、ＡＭ回路選択時にアンテナ１から入力されたＡＭ受信信号は、ダイオードＤ１、Ｄ２が逆バイアス状態であるため、ほとんどがＡＭ回路側に通過する。加えて、ＦＭアンテナ同調回路４には、直列にコンデンサＣ１が接続され、ＦＭ信号に対して低インピーダンス、ＡＭ受信信号に対して高インピーダンスとなるよう値が設定される。すなわち、ダイオードＤ１及びコンデンサＣ１の双方により、ＡＭ受信信号がＦＭ回路から遮断される構成となっている。
【００３２】
ここで、ダイオードＤ１とダイオードＤ２の特性にばらつきがある場合を考える。ダイオードＤ１、Ｄ２は、逆バイアスされている場合に、微少なリーク電流が流れる。このリーク電流の変化に連動して、ダイオードＤ１、Ｄ２の逆バイアス電圧が変動する。本実施形態では、並列抵抗Ｒ１、Ｒ２を設ける構成とし、Ｒ１とＲ２の抵抗値がほぼ同じになるように設定する。よって、ダイオード特性のばらつきがある場合であっても、ダイオードＤ１、Ｄ２の逆バイアス電圧はほぼ等しくなり、かつ安定化される。すなわち、前述したように、逆バイアス時には、主に抵抗Ｒ１、Ｒ２を経由して電源３による電流が流れるため、各ダイオードＤ１、Ｄ２の逆バイアス電圧は、電圧Ｒ１、Ｒ２での電圧降下に依存することになるので、ダイオード特性のばらつきは吸収されることになる。
【００３３】
このとき、スイッチ部２を介して電源３から供給される電流は、抵抗Ｒ０、コイルＬ２、抵抗Ｒ１、抵抗Ｒ２、コイルＬ１という経路で流れるので、抵抗Ｒ０、Ｒ１、Ｒ２の３つの抵抗によって、電流値及び各点の電圧が定まる。これにより、ＡＭ回路の入力側であるダイオードＤ１、Ｄ２の中間点には、常に一定の直流電圧が印加されることとなり、ＡＭ受信信号に対して歪みを与えることが防止される。更に、多数のＦＭ送信波による相互変調に基づくＡＭ受信妨害を受けにくくなる。
【００３４】
次に、図２は、本発明の第２の実施形態を示す回路図である。図２に示す第２の実施形態は、車載用チューナ等に利用されるアンテナダイバーシティ受信回路であって、ＡＭとＦＭに共用可能な第１のアンテナと、ＦＭ専用の第２のアンテナの２本のアンテナ入力を有し、ＡＭ回路とＦＭ回路を切り換え制御する受信回路に対して本発明を適用したものである。なお、図２では、図１に示す第１の実施形態に係る受信回路の構成要素と同一構成要素には、同一符合を付して説明する。
【００３５】
図２に示す受信回路は、メインアンテナ１ａと、サブアンテナ１ｂと、ダイオードＤ１、Ｄ２、Ｄ３、Ｄ４と、コイルＬ１、Ｌ２、Ｌ３、Ｌ４と、抵抗Ｒ０、Ｒ１、Ｒ２、Ｒ３、Ｒ４と、スイッチ部２ａ、２ｂと、電源３ａ、３ｂと、インピーダンスＺ１、Ｚ２と、ＦＭアンテナ同調回路４とを備えている。
【００３６】
図２において、メインアンテナ１ａはＡＭ送信帯域とＦＭ送信帯域をどちらも受信可能であり、サブアンテナ１ｂはＦＭ送信帯域のみ受信可能である。ＦＭに対してはメインアンテナ１ａ、サブアンテナ１ｂとして両方のアンテナによるダイバーシティ受信を行うよう構成される。また、メインアンテナ１ａから出力される受信信号は、途中で分岐してＡＭ回路とＦＭ回路の双方に接続されるよう構成され、サブアンテナ１ｂから出力される受信信号は、ＦＭ回路のみに接続されるように構成される。
【００３７】
スイッチ部２ａ、２ｂでは、ＡＭ回路とＦＭ回路の切り換え制御、及びＦＭのダイバーシティの切り換え制御が行われる。まず、ＡＭ回路を選択する場合は、スイッチ部２ａをａ側に切り換え制御する。ＦＭ回路を選択する場合は、スイッチ部２ａをｂ側に切り換えると共に、メインアンテナ１ａを用いる場合は、スイッチ部２ｂをｃ側に切り換え、サブアンテナ１ｂを用いる場合は、スイッチ部２ｂをｄ側に切り換えて、それぞれ制御する。そして、スイッチ部２ａ、２ｂは、所定の電圧を印加する電源３ａ、３ｂ、適宜の負荷となるインピーダンスＺ１、Ｚ２、及びアースに接続され、スイッチ部２ａ、２ｂの切り換えに応じて電源３ａ、３ｂと、インピーダンスＺ１、Ｚ２を介したアースの接続関係が逆になる。更に、ＡＭ回路を選択する場合には、電源３ｂをオフにして、電圧が印加されないようにする。
【００３８】
第１の実施形態同様、ダイオードＤ１、Ｄ２には、それぞれ並列に抵抗Ｒ１、Ｒ２が接続されている。同様に、ダイオードＤ３、Ｄ４には、それぞれ並列に抵抗Ｒ３、Ｒ４が接続されている。抵抗Ｒ１乃至Ｒ４の抵抗値は、前述した第１の実施形態と同程度の抵抗値とすればよい。
【００３９】
まず、ＦＭ回路が選択され、かつダイバーシティをメインアンテナ１ａ側で行う場合、ダイオードＤ１、Ｄ２は、スイッチ部２ｂを介して電源３ｂにより順バイアスされ、どちらも導通状態となると共に、ダイオードＤ３、Ｄ４は、バイアスされない状態となる。そして、電源３ｂから供給される電流は、主にダイオードＤ１、Ｄ２を流れ、抵抗Ｒ０の抵抗値により一定値に制限される電流が流れる。
【００４０】
また、ＦＭ回路が選択され、かつダイバーシティをサブアンテナ１ｂ側で行う場合、ダイオードＤ１、Ｄ２は、バイアスされない状態となると共に、ダイオードＤ３、Ｄ４は、電源３ｂにより順バイアスされ、どちらも導通状態となる。そして、電源３ｂから供給される電流は、主にダイオードＤ３、Ｄ４を流れ、やはり抵抗Ｒ０の抵抗値により一定値に制限される電流が流れる。
【００４１】
一方、ＡＭ回路が選択される場合は、ダイオードＤ１、Ｄ２及びダイオードＤ３、Ｄ４は、どちらもスイッチ部２ａを介して電源３ａにより逆バイアスされ、何れも非導通状態となる。そして、電源３ａから供給される電流は、主に並列接続された抵抗Ｒ１、Ｒ２及び抵抗Ｒ３、Ｒ４を流れ、抵抗Ｒ０乃至Ｒ４の５つの抵抗の電圧降下と、インピーダンスＺ１又はＺ２の電圧降下で各点の直流電圧値が定まる。
【００４２】
なお、図２においては、コイルＬ１、Ｌ２、Ｌ３、コンデンサＣ１、ＦＭアンテナ同調回路４の作用については、図１に示す第１の実施形態の場合と同様である。
【００４３】
図２の構成において、ＦＭ回路及びメインアンテナ１ａ選択時には、入力されたＦＭ受信信号が、順バイアスされたダイオードＤ１を経由してＦＭ回路側に通過する。ここで、ＦＭ受信信号は、コイルＬ１、Ｌ２によって電源側とは高周波的に切り離され、コイルＬ３によってＡＭ回路から遮断されている。
【００４４】
また、ＦＭ回路及びサブアンテナ１ｂ選択時には、入力されたＦＭ受信信号が、順バイアスされたダイオードＤ３を経由してＦＭ回路側に通過する。ここで、ＦＭ受信信号は、コイルＬ２、Ｌ４によって電源側と高周波的に切り離され、コイルＬ３と逆バイアスされたダイオードＤ１によってＡＭ回路から遮断されている。
【００４５】
一方、ＡＭ回路選択時には、ダイオードＤ１、Ｄ２が逆バイアスされていると共に、前述のようにＡＭ受信信号に対して高インピーダンスとなるＣ１が存在するため、入力されたＡＭ受信信号が、ほとんどＡＭ回路側に通過する。
【００４６】
このとき、ダイオードＤ１、Ｄ２、及びダイオードＤ３、Ｄ４の特性にばらつきがある場合は、第１の実施形態と同様に、並列抵抗Ｒ１乃至抵抗Ｒ３の抵抗値を適切に選ぶことにより、ダイオードＤ１乃至Ｄ４の逆バイアス電圧をほぼ等しくし、かつ安定化することができる。
【００４７】
これにより、ＡＭ受信信号に対して歪みを与えることが防止され、多数のＦＭ送信波による相互変調に基づくＡＭ受信妨害を受けにくくなる。
【００４８】
なお、前述の説明では、本発明の好適な実施形態として、ＦＭとＡＭの共用アンテナに対する受信回路、及びこれらにＦＭのダイバーシティ受信を組み合わせた受信回路に対して、本発明を適用する場合について説明を行ったが、これ以外にも、１本のアンテナを異なる周波数帯の送信波で共用させたり、加えて、複数のアンテナを切り換える構成を取り入れた受信回路に対して、広く本発明を適用することが可能である。
【００４９】
【発明の効果】
以上説明したように、請求項１に記載の発明によれば、共用アンテナを用いた受信回路において、リーク電流等ダイオード特性のばらつきに伴う電圧レベルの変動を防止でき、受信信号に生じる歪みを抑えることができ、また、例えばＦＭ送信波の相互変調による妨害を減少させることができる。
【００５０】
請求項２に記載の発明によれば、共用アンテナを用い、かつダイバーシティ受信等のため複数のアンテナを使用する受信回路において、リーク電流等ダイオード特性のばらつきに伴う電圧レベルの変動を防止でき、受信信号に生じる歪みを抑えられ、また、ＦＭのダイバーシティ受信等を良好に行いつつ相互の妨害を減少させることができる。
【００５１】
請求項３に記載の発明によれば、適切な抵抗値を有する抵抗に分圧されて各ダイオードの逆方向バイアス電圧が印加されるので、リーク電流等ダイオード特性がばらつく場合でも、より安定度の高い抵抗値によって変動を防止でき、良好な受信性能を確保することが可能となる。
【００５２】
請求項４に記載の発明によれば、ＦＭ送信帯域とＡＭ送信帯域を共用可能なアンテナを用いた受信回路において、ダイオードを用いて切り換え制御する際に逆方向バイアス電圧の安定が図れるので、低歪みで妨害に強いＦＭ／ＡＭ共用受信装置が提供可能となる。
【図面の簡単な説明】
【図１】本発明の第１の実施形態に係る受信回路の回路図である。
【図２】本発明の第２の実施形態に係る受信回路の回路図である。
【図３】従来の受信回路の回路図である。
【符号の説明】
１、１ａ、１ｂ…アンテナ
２、２ａ、２ｂ…スイッチ部
３、３ａ、３ｂ…電源
４…ＦＭアンテナ同調回路
Ｄ１、Ｄ２、Ｄ３、Ｄ４…ダイオード
Ｒ０、Ｒ１、Ｒ２、Ｒ３、Ｒ４…抵抗
Ｌ１、Ｌ２、Ｌ３…コイル
Ｃ１…コンデンサ
Ｚ１、Ｚ２…インピーダンス
【図１】
0003621252.tif 000002
【図２】
0003621252.tif 000003
【図３】
0003621252.tif 000004